(57)【要約】      （修正有）【課題】リクライニング座いす等の腰掛け面や背凭れ面への圧力パイプ材の結び紐による結び付けの多大な手数を省略する構造を提供する。【解決手段】底辺・高さ辺ともほゞ同一巾よりなる直角アングル状の枠材でリクライニング座いす等の腰掛け面や背凭れ面に脱着可能でピッタリ一致する夫々の面用ケースを設け、その左右の長辺枠底面上に上下の短辺枠に平行状に夫々のパイプ材を隙間なく層をなすよう折り返えしゝて巻き付ける巻き軸５を熔着して設け、巻き軸５に巻き付け終了後のパイプ材に左右長辺枠の高さ辺頂部に蝶番連結する押え金６を反転させて各圧力パイプを一律整然と押え付け各押え金６の数ケ所ずつを巻き軸５にビス止めして各ケースを裏返えし、裏面の網材又はジーンズに各圧力パイプを接着剤止めして乾燥保管する構造。【選択図】図１
0003171143.tif 000002
【実用新案登録請求の範囲】
【請求項１】
底辺・高さ辺ともほゞ同一巾の直角アングル状枠材よりなるリクライニング座いす等の腰掛け面や背凭れ面に、着脱可能で夫々の座面に一致するようの座面用のケースを設けてそれらのケースの左右枠長辺底面上に上下の短辺枠に平行状に夫々の圧力パイプを隙間なく層をなすよう折り返えしながら巻き付ける巻き軸５を順序よく交互に熔着等して設け、巻き軸５への各圧力パイプの巻き付け終了後の各ケースは夫々の長辺枠の高さ辺頂部に蝶番連結する各押え金６を反転させて各巻き付け圧力パイプをケース裏面の各網材又はジーンズ１４面に一律に押し付け各押え金６の数ヶ所ずつを巻軸頭部にビス止め固定し、各ケースを裏返えし各圧力パイプを各網材又はジーンズに接着剤止めして乾燥し保管する構造である。（脱着可能ゆえ乾燥保管まで構造中に記載した。）
【考案の詳細な説明】
【技術分野】
【０００１】  リクライニング座いす等の腰掛け面や背凭れ面に、軟質プラスチック・パイプ材の敷きつめ構造に関するものである。
【背景技術】
【０００２】  従来からのリクライニング座いす等の腰掛け面や背凭れ面に軟質プラスチック・パイプ材の長尺圧力パイプ敷きつめ構造としては、同一出願人の出願になる「特願２０１０−１６１０７６腰掛け面や背凭れ面に軟質プラスチック・パイプ材の長尺圧力パイプ材を平行状やスパイラル状等に隙間なく層をなすよう敷きつめたリクライニング座椅子。」がある。しかしこの発明は勿論アルキメディスの原理の静止圧力流体内の物体の一種として着座人は当然上向きの浮力を受けるがそれだけではなく、単に２枚合わせの圧力空気袋では中央部を中心に膨れ出すのとは全く異なり、腰掛け面・背凭れ面とも着座人の接触面全面を全く同一の均当圧力で支えようとする均等性から前者の浮力とあいまって、着座人は何ら苦痛を感ずることなくあたかも湯舟に居するが如く着座し続けられるのである。
【考案の開示】
【考案が解決しようとする課題】
【０００３】  そこで本考案は、上記「特願２０１０−１６１０７６」の図１図２の圧力パイプ１・２を結朿紐５で結朿止めする多大な手数を要し手結びゆえに不揃となる欠点や図６図７の腰掛け面や背凭れ面を回転させて圧力パイプを巻き付けるのを改め夫々両面にピッタリ一致するケースに巻き付けるよう改めるようにしたものである。
【課題を解決するための手段】
【０００４】  本考案のリクライニング座いす（以下略してリ座いすと呼ぶ）は、腰掛け面・背凭れ面に夫々ピッタリ一致する腰掛け面ケース・背凭れ面ケースを設け、正面より見て夫々のケースの左右枠底面上に交互に熔着する巻き軸に圧力パイプを折り返えし巻き付け、巻き付け終了後押え金を反転させてビス止めし、各ケースを裏返えしゝて網材又はジーンズ面より夫々の圧力パイプを接着剤止めして乾燥させるのである。
【考案の効果】
【０００５】  上記の如く考案を実施すれば、圧力パイプ結朿止めの多大な手数は大きく省略され一律整然と形成される効果がある。また夫々の座面に一致する面用ケースの採用により腰掛け座や背凭れ座まで回転させる手数が大きく省略される効果がある。
【考案を実施するための最良の形態】
【０００６】  図面につき本考案を詳述すると、図１は本考案のリ座いすの正面図であり図２はその右側より見た側面図である。両図とも外周仕上げ材を除去した状態であり、図２では手前側肘掛け部４及びその付属物も除去した状態を示している。図２に示す如く着座人に安定感を誘うよう着座面後部を２°程下げた同面上には腰掛け座ケース１１が、また背凭れ支え金３上面の背凭れ面上には背凭れ座ケース１２が夫々脱着を可能にしてピッタリ沿うよう設けられている。【０００７】  また背凭れ面を形成する背凭れ支え金３の傾斜角度変隔を図るウォーム歯車・モーター等の角度変隔装置収納箱１０上部には、着座人がリ座いす上に寝起きするときつかまる取手９が手・指等のはさまれ事故直前にウォーム歯車を停止させるケーブル巻きして除去している肘掛け４を含め双方に設けられている。また背凭れ面用スイッチ１６も双方肘掛け４上に設けられている。【０００８】  つぎに腰掛け・背凭れ面座ケースは図３図５にも示す如く底辺・高さ辺ともほゞ同一巾の直角アングル状の硬質プラスチック材或は金属よりなり、図１の背凭れ座ケース１２に示す如く左右長辺底面上に左右交互に圧力パイプが隙間なく層をなすようの敷きつめられる間隔巾に熔着等した巻き軸５に夫々のパイプ材を順序よく折り返えし巻き付け、巻き付け終了後高さ辺頂部に蝶番１３で蝶番連結する押え金６で全パイプを同時に押え数ケ所ずつビス止めすれば各圧力ハイプは一律の配列ができ、各ケースを裏返えし裏面の網材又はジーンズに圧力パイプを接着剤止めして乾燥・保管するのである。
【図面の簡単な説明】
【０００９】
【図１】  本考案のリクライニング座いすの正面図である。
【図２】  同座いすの右側より見た側面図である。
【図３】  Ｓｅｃ．ａａ断面図である。
【図４】  Ｓｅｃ．ｂｂ断面図である。
【図５】  図３の部分拡大図である。
【符号の説明】
【００１０】  １、２  圧力パイプ
３      背凭れ支え金
４      肘掛け
５      巻き軸
６      押え金
７      台座
８      蝶ねじ
９      取手（センサー巻き）
１０    角度変隔装置収納箱
１１    腰掛け座ケース
１２    背凭れ座ケース
１３    蝶番
１４    網材又はジーンズ
１５    充填ウレタンホーム
１６    背凭れ座スイッチ
【図１】
0003171143.tif 000003
【図２】
0003171143.tif 000004
【図３】
0003171143.tif 000005
【図４】
0003171143.tif 000006
【図５】
0003171143.tif 000007
【手続補正書】
【提出日】平成23年8月1日(2011.8.1)
【手続補正１】
【補正対象書類名】実用新案登録請求の範囲
【補正対象項目名】全文
【補正方法】変更
【補正の内容】
【実用新案登録請求の範囲】
【請求項１】
底辺・高さ辺ともほゞ同一巾の直角アングル枠材よりなるリクライニング座いすの腰掛け面や背凭れ面に着脱可能で夫々の座面に一致するようの座面用ケースを設け、各ケースの長辺枠左右の底面上に上下の短辺枠に平行状に夫々の座面用圧力パイプを隙間なく層をなすよう折り返えしながら巻き付ける巻き軸５を順序よく交互に熔着等して設け、巻き軸５への各圧力パイプの巻き付け終了後、各ケースの長辺枠高さ辺頂部の押え金６を反転させて各圧力パイプを着座面ケースや背凭れ面ケースの長辺枠底面上及び短辺枠底面上に固着する網材或はジーンズ面上に一律に押え付け、押え金６の数ヶ所ずつを巻き軸５頭部にビス止め固定して各ケースを裏返えし、各圧力パイプを各ケース底面上の網材或はジーンズに接着剤止めしてなるリクライニング座いすの座面構造。